(57)【特許請求の範囲】
【請求項１】
妊婦の心拍数や陣痛圧等の身体状態を計測するための身体状態計測手段と、同身体状態計測手段によって計測した身体状態に応じて妊婦を落ち着かせ又は出産を円滑に行わせる音楽を選択する選択手段と、同選択手段によって選択された身体状態に応じた音楽を出力するために分娩室の内部に配設した出力手段とを具備し、妊婦の身体状態に応じて上記選択された音楽を分娩室の内部に出力することを特徴とする分娩支援装置。
【請求項２】
妊婦の心拍数や陣痛圧等の身体状態を計測するための身体状態計測手段と、同身体状態計測手段によって計測した身体状態に応じて妊婦を落ち着かせ又は出産を円滑に行わせる照明を選択する選択手段と、同選択手段によって選択された身体状態に応じた照明を出力するために分娩室の内部に配設した出力手段とを具備し、妊婦の身体状態に応じて上記選択された照明を分娩室の内部に出力することを特徴とする分娩支援装置。
【発明の詳細な説明】
【０００１】
【発明の属する技術分野】
本発明は、出産時において分娩を支援するための分娩支援装置に関するものである。
【０００２】
【従来の技術】
従来、分娩室には、妊婦を横臥させるための分娩台の近傍位置に妊婦の心拍数や陣痛圧等の身体状態を計測するための計測器を設置しており、出産の前後にわたり出産介添人や助産婦等が計測器を用いて妊婦の身体状態を監視していた。
【０００３】
【発明が解決しようとする課題】
ところが、出産介添人や助産婦は、出産の前後にわたり様々な作業を行わなければならず、妊婦を常時監視し続けることは困難であり、そのため、妊婦の身体状態が急変した場合に気付かないおそれがあった。
【０００４】
また、妊婦にとっても、不慣れな分娩室内で長時間過ごすことは苦痛で、気持ちをリラックスさせることが困難であり、出産を円滑に行うことができないおそれがあった。
【０００５】
【課題を解決するための手段】
そこで、本発明では、妊婦の心拍数や陣痛圧等の身体状態を計測するための身体状態計測手段と、同身体状態計測手段によって計測した身体状態に応じて妊婦を落ち着かせ又は出産を円滑に行わせる音楽又は照明を選択する選択手段と、同選択手段によって選択された身体状態に応じた音楽又は照明を出力するために分娩室の内部に配設した出力手段を具備し、妊婦の身体状態に応じて上記選択された音楽又は照明を分娩室の内部に出力することを特徴とする分娩支援装置を提供するものである。
【０００６】
【発明の実施の形態】
本発明に係る分娩支援装置は、妊婦の心拍数や陣痛圧等の身体状態を計測するための身体状態計測手段と、同身体状態計測手段によって計測した身体状態に応じて音声又は照明を選択する音声選択手段又は照明選択手段と、同音声選択手段又は照明選択手段によって選択された音声又は照明を出力するための音声出力手段又は照明出力手段とを具備したものである。
【０００７】
従って、出産前においては、不慣れな妊婦を落ち着かせ、出産時には、呼吸法を支援して、出産を円滑に行うことができ、出産後においては、出産の感動を盛り上げ、妊婦に出産後のエネルギーを与えることができるものである。
【０００８】
しかも、分娩室の内部にいる出産介添人や助産婦全員が妊婦の身体状態を音声や照明を通じて確認することができ、妊婦を常時監視し続けることとなり、不慮の事故を未然に防止することができるものである。
【０００９】
【実施例】
以下に、本発明の実施例について図面を参照しながら説明する。
【００１０】
図１は、本発明に係る分娩支援装置Ａを具備する分娩室１の全体構成を示した図であり、分娩室１は、略中央部に妊婦を横臥させるための分娩台２を配設し、同分娩台２の近傍位置に分娩監視装置３を配設している。
【００１１】
分娩室１の上方四隅部と左右側壁４，５  の下方中央部には、スピーカー６がそれそれ配設されており、同スピーカー６は、分娩監視装置３に接続されている。
【００１２】
分娩室１の天井７には、左右２列の照明器具８が配設されており、同照明器具８は、分娩監視装置３に接続されている。尚、照明器具８は、三原色の間接照明により各色の照明を行えるようにしている。
【００１３】
このように、分娩監視装置３にスピーカー６及び照明器具８を接続して分娩支援装置Ａを構成している。
【００１４】
また、分娩室１には、出産直後の乳児を暖めるためのウォーマーベッド９が配設されており、しかも、同ウォーマーベッド９には、ウォーマーベッド９上の乳児を撮影するためのビデオカメラ１０が設置され、同ビデオカメラ１０で撮影した映像を、分娩台２の直上方位置に設けたモニター１１に映し出している。
【００１５】
そのため、妊婦が分娩台２に横臥した楽な姿勢のままでモニター１１に映し出された乳児を見ることができ、妊婦に大きな喜びと安心感を与えることができ、これにより、妊婦の出産後の肉体的な苦痛や精神的な不安感を解消することができる。
【００１６】
分娩監視装置３は、図２に示すように、コンピュータ１２の入力側に、操作スイッチ１３と妊婦の心拍数や陣痛圧等の身体状態を計測するための身体状態計測手段としての計測器１４とをそれぞれ接続する一方、コンピュータ１２の出力側に、音声出力手段としての音声コントロール装置１５及びスピーカー６と、照明出力手段としての照明コントロール装置１６及び照明器具８とをそれぞれ接続している。
【００１７】
そして、コンピュータ１２は、身体状態計測手段によって計測した身体状態に応じて音声や照明を選択するように構成されており、音声選択手段及び照明選択手段として機能するようにしている。
【００１８】
例えば、身体計測手段によって妊婦の心拍数や陣痛圧が通常時の値であることを計測した場合には、コンピュータ１２は、陣痛到来前であると判断し、妊婦に落ち着いた呼吸と意識とをしっかり持たせて陣痛の到来に備えさせるために、落ち着いた曲調の音楽と、心のバランスを良好に保持することができる緑色の照明とを選択する。
【００１９】
また、身体計測手段によって妊婦の心拍数や陣痛圧が通常時の値よりも大きくなったことを計測した場合には、コンピュータ１２は、出産直前であると判断し、妊婦がラマーズ法、ソフロロジー法、リーブ法等の各種の呼吸法に集中できるように、先の音楽に呼吸法を応用した擬音を混在させた音声を選択するとともに、妊婦に積極的で活発さや明るさを与える赤色とピンク色とを交互に点灯する照明を選択する。
【００２０】
さらに、身体計測手段によって、乳児の心音がなくなったことを計測した場合には、コンピュータ１２は、乳児が娩出されたと判断し、妊婦に出産の感動を与える快活な曲調の音楽と、希望にあふれるオレンジ色又は黄色の照明を選択し、音量や光量も大きくする。
【００２１】
そして、出産後の所定時間経過後には、妊婦に安心感を与える落ち着いた曲調の音楽と青色の照明を選択する。
【００２２】
また、診察時には、操作スイッチ１３によって、コンピュータ１２が、妊婦をリラックスさせる曲調の音楽と青色の照明を選択するようにしている。
【００２３】
また、手術時には、操作スイッチ１３によって、コンピュータ１２が、妊婦の不安感を取り除くテンポの有る曲調の音楽を選択する。この場合、手術に必要な光量で白色の照明とし、また、音量は、手術の機械音が目立たなくなる程度の大きさとしている。
【００２４】
このように、妊婦の身体状態に応じて分娩室１の内部の音声や照明を制御することにより、出産前においては、不慣れな妊婦を落ち着かせ、出産時には、呼吸法を支援して、出産を円滑に行うことができ、出産後においては、出産の感動を盛り上げ、妊婦に出産後のエネルギーを与えることができる。
【００２５】
しかも、妊婦の身体状態によって分娩室１の内部の音声や照明が変化するため、分娩室１の内部にいる出産介添人や助産婦全員が妊婦の身体状態を音声や照明を通じて確認することができ、妊婦を常時監視し続けることとなり、不慮の事故を未然に防止することができる。
【００２６】
【発明の効果】
本発明は、以上説明したような形態で実施され、以下に記載されるような効果を奏する。
【００２７】
すなわち、本発明では、妊婦の心拍数や陣痛圧等の身体状態を計測するための身体状態計測手段と、同身体状態計測手段によって計測した身体状態に応じて妊婦を落ち着かせ又は出産を円滑に行わせる音楽又は照明を選択する選択手段と、同選択手段によって選択された身体状態に応じた音楽又は照明を出力するために分娩室の内部に配設した出力手段を具備しているため、出産前においては、不慣れな妊婦を落ち着かせ、出産時には、呼吸法を支援して、出産を円滑に行うことができ、出産後においては、出産の感動を盛り上げ、妊婦に出産後のエネルギーを与えることができる。
【００２８】
しかも、分娩室の内部にいる出産介添人や助産婦全員が妊婦の身体状態を音楽や照明を通じて確認することができ、妊婦を常時監視し続けることとなり、不慮の事故を未然に防止することができる。
【図面の簡単な説明】
【図１】本発明に係る分娩支援装置を具備する分娩室の全体構成を示す斜視図。
【図２】分娩支援装置の構成を示すブロック図。
【符号の説明】
Ａ    分娩支援装置
１    分娩室
２    分娩台
３    分娩監視装置
６    スピーカー
８    照明器具
９    ウォーマーベッド
１０    ビデオカメラ
１１    モニター
１２    コンピュータ
１３    操作スイッチ
１４    計測器
１５    音声コントロール装置
１６    照明コントロール装置
【図１】
0003604061.tif 000002
【図２】
0003604061.tif 000003